(57)【要約】      （修正有）【課題】支柱主体部と配線係止部を一体形成とし、支柱主体部と配線係止部はＦＲＰ製とし、通常のプラスチックより寿命が長く、簡単に設置することのできる電流式害獣防護柵用支柱を提供する。【解決手段】防護柵用の支柱は、支柱主体部１と、支柱主体部１と一体形成され、電流の流れる電線等を支柱主体部１に等間隔に係止する配線係止部２と、主体部の上方には主体上部３と、主体部の下方には支柱を固定する頂端の尖った支柱立設部４とを備え、主体部１と、配線係止部２、主体上部３、支柱立設部４は、一体構造である。支柱立設部４の頂端斜面には流水穴が設けられており、外気温との温度差により主体内部に生じた水蒸気等を排出させ、支柱主体部１の凍結による破損等を防止する。また、支柱主体部の素材は繊維増強合成プラスチック（ＦＲＰ）である。【選択図】図１
0003192262.tif 000002
【実用新案登録請求の範囲】
【請求項１】
電流式害獣防護柵用の支柱において、前記支柱は、中空状に形成された支柱主体部1と、前記支柱主体部１と一体形成され、電流の流れる電線を前記主体部１に係止する配線係止部２と、前記主体部１の上方には主体上部３と、前記主体部１の下方には支柱立設部４とを備え、前記支柱主体部1と、前記配線係止部２、前記主体上部３、前記支柱立設部４は、一体構造であることを特徴とする電流式害獣防護柵用支柱。
【請求項２】
前記支柱主体部１は繊維増強合成プラスチック（ＦＲＰ）で構成されていることを特徴とする請求項１に記載の電流式害獣防護柵用支柱。
【請求項３】
前記主体上部３と前記支柱立設部４は超硬性樹脂で構成されていることを特徴とする請求項１に記載の電流式害獣防護柵用支柱。
【請求項４】
前記配線係止部２は、支柱主体部１と一体形成されていることを特徴とする請求項１に記載の電流式害獣防護柵用支柱。
【請求項５】
前記支柱立設部４の頂端斜面には流水孔５があることを特徴とする請求項１に記載の電流式害獣防護柵用支柱。
【請求項６】
前記配線係止部２は所定の間隔で前記支柱主体部1に設けられていることを特徴とする請求項１に記載の電流式害獣防護柵用支柱。
【考案の詳細な説明】
【技術分野】
【０００１】
本考案は電流式防護柵用の支柱に関する。
【背景技術】
【０００２】
近年、自然環境の改善、野生動物の生態の回復に力を入れたため、野生動物の数が増加し、畑や果樹園等の農作物、野菜や果物などが被害を受け、問題となっている。また、山林や牧場、家畜養殖場、家畜にも被害が出ている。このような被害対策として、害獣の侵入を防ぐ防護柵が必要とされている。
【考案の概要】
【考案が解決しようとする課題】
【０００３】
従来の害獣防護柵用の支柱は、単なる棒状の支柱であり、該支柱を設置後に、電線等を固定するプラスチック製の配線係止部を一つ一つ、別途固定していた。そのため、設置するのに時間と手間が掛かっていた。また、地面に立設する底端に流水穴が無いため、冬季に支柱内部に水蒸気が溜まり、これが凍結すると、主体自体が破裂する恐れがあった。また、支柱主体の材料は金属性が多いため、重量が重く、また、絶縁が難しい。更に金属性なので錆びやすく、寿命が短い。一方、プラスチック製の支柱もあるが、環境によっては劣化が早く、寿命も短いという課題があった。
上述したように、従来の防護柵用支柱の課題を解決するため、本考案は、支柱主体部１と配線係止部２を一体形成とし、かつ一定間隔に設ける構成とした。
本考案に係る支柱主体部１はＦＲＰ製なので、プラスチック製の支柱と比較して寿命が長く、配線係止部２を別途設置する手間のいらない防護柵用の支柱を提供する。
【課題を解決するための手段】
【０００４】
上述した課題を解決するために、請求項１の考案に係る電流式害獣防護柵用支柱は、中空状に形成された支柱主体部1と、支柱主体部１と一体形成され、電流の流れる電線を支柱主体部１に係止する配線係止部２と、支柱主体部１の上方には主体上部３と、主体部１の下方には支柱立設部４とを備え、支柱主体部1と、配線係止部２、主体上部３、支柱立設部４は、一体構造であることを特徴とする。
【０００５】
また、請求項２の考案に係る電流式害獣防護柵用支柱は、支柱主体部1は繊維増強合成プラスチック（ＦＲＰ）であることを特徴とする。
【０００６】
請求項３の考案に係る電流式害獣防護柵用支柱は、主体上部３と支柱立設部４は超硬性樹脂であることを特徴とする。
【０００７】
請求項４の考案に係る電流式害獣防護柵用支柱は、前記配線係止部２は、支柱主体部１と一体形成されていることを特徴とする。
【０００８】
請求項５の考案に係る電流式害獣防護柵用支柱は、支柱立設部４の頂端斜面には流水孔５があることを特徴とする。
【０００９】
請求項６の考案に係る電流式害獣防護柵用支柱は、配線係止部２は所定の間隔で支柱主体部１に設けられていることを特徴とする。
【００１０】
本考案の防護柵用支柱は、支柱主体部１と配線係止部２とが一体形成された支柱であるので、別途、電流の流れる電線等の配線を係止する部分を製造し、支柱主体部に設置する手間を減らせるので、コストも安くでき、製造や設置の効率を高めることができる。
また、配線係止部２が予め支柱主体部１に設けられているので、簡易に組み立てるか事ができ、施工時間を大幅に短縮できる。更に主体の材料が繊維増強合成プラスチック（ＦＲＰ）であるので、抗腐食性、抗劣化性が強い、また絶縁であり、軽く、寿命が長い。更に、支柱立設部４の頂端斜面に流水穴５を設けているので、冬季に、支柱主体部１の内部に溜まる水蒸気を排除し、凍結による支柱主体部１の破裂を防ぐが出来る。
【図面の簡単な説明】
【００１１】
【図１】は本考案の防護柵支柱全体構造図である。
【図２】は図1の中のＡの局部拡大図である。
【図３】は図1の中のＢの局部拡大図である。
【考案を実施するための形態】
【００１２】
本考案の防護柵支柱の構造は図１に示すように、支柱主体部1と、前記支柱主体部１と一体形成され、電流の流れる電線を前記支柱主体部１に等間隔に係止する配線係止部２と、前記支柱主体部１の上方には主体上部３と、前記支柱主体部１の下方には、前記支柱主体部１を固定する頂端の尖った支柱立設部４とを備え、前記支柱立設部４の頂端斜面には、流水孔５が設けられている。また、前記支柱主体部1は、前記配線係止部２、前記主体上部３、前記支柱立設部４と一体構造である。
更に、前記支柱主体部１は繊維増強合成プラスチック（ＦＲＰ）である。
【００１３】
害獣から守りたい領域を囲うように、本考案に係る支柱を設置する。電流の流れる網や線を配線係止部２へ係止する。
【００１４】
本考案の防護柵用支柱は、支柱主体部１と配線係止部２とが一体形成された支柱であり、配線係止部を別途製造する必要がないので、製品の製造工程を減らすことができる。
また、設置時においても、簡易に設置することが可能なので設置コストも減らすことが可能となり、使用者にとっても便利である。
更に主体の材料が繊維増強合成プラスチック（ＦＲＰ）なので、抗腐食性、絶縁性に富み、重量も軽く、耐久性が強い。
その上、支柱立設部４の底端斜面に予め一つ又は複数個所に流水穴５を設けているので、冬期に支柱主体部１の内部に溜まる結露や水蒸気を排除することができるので、主体内部の水分が凍結し、膨張することにより主体が破裂されることを防ぐことが出来る。
【符号の説明】
【００１５】
１    支柱主体部
２    配線係止部
３    主体上部
４    支柱立設部
Ａ    主体上部の部分拡大図
Ｂ    支柱立設部の部分拡大図
【図１】
0003192262.tif 000003
【図２】
0003192262.tif 000004
【図３】
0003192262.tif 000005